(57)【要約】  【課題】    必要なときだけ薬剤を拡散させることができ、網に薬剤を保持させたものを用いて薬剤の拡散ができる薬剤拡散装置を提供する。  【解決手段】  本発明の薬剤拡散装置１は、密閉状態と開放状態とを選択できる空間１９が設けられた本体部材２と、空間１９内に配置された網からなる薬剤保持部材６を有している。薬剤保持部材６は、本体部材２の上部側の外殻片１２と下部側の外殻片１１の両方に固定されており、開放状態となると薬剤保持部材６が伸ばされた状態で露出して薬剤の拡散が可能となる。【選択図】  図２
2005253431.tif 000002
【特許請求の範囲】
【請求項１】
外殻を構成する本体部材と、薬剤を保持可能な薬剤保持部材を有し、前記本体部材は互いに近接及び離反可能な二片の外殻片を有し、前記外殻片の少なくとも一片は内部に空間を有する立体形状であり、前記二片の外殻片を互いに連結する連結手段を備え、前記薬剤保持部材は網状であって互いに近接離反する前記二片の外殻片に取り付けられ、前記二片の外殻片を互いに近接させることによって本体部材の内部に略密閉空間が形成され、前記薬剤保持部材を前記略密閉空間内に収納可能であり、前記二片の外殻片を互いに離反させることによって前記略密閉空間は外部に開放状態となり、前記薬剤保持部材は広げられた状態で外気と接することを特徴とする薬剤拡散装置。
【請求項２】
連結手段は、二片の外殻片が互いに離反した状態を維持可能であることを特徴とする請求項１記載の薬剤拡散装置。
【請求項３】
本体部材は、二片の外殻片が互いに離反した状態で自立可能であることを特徴とする請求項１又は２記載の薬剤拡散装置。
【請求項４】
連結手段は所定の方向に伸縮可能であり、連結手段の伸縮方向両端部に外殻片が取り付けられていることを特徴とする請求項１乃至３のいずれか記載の薬剤拡散装置。
【請求項５】
連結手段は複数の柱状部材からなり、隣接する柱状部材が入れ子状に収納されていて全長が伸縮自在であることを特徴とする請求項４記載の薬剤拡散装置。
【請求項６】
連結手段はコイルばねであり、当該コイルばねは二片の外殻片を互いに近接させて本体部材の内部に略密閉空間を形成させた時には圧縮状態で縮み、前記二片の外殻片には係合部が設けられ、前記係合部を係合させることによって略密閉状態の維持が可能であることを特徴とする請求項４記載の薬剤拡散装置。
【請求項７】
薬剤保持部材は連結手段たるコイルばねの内側に配置されていることを特徴とする請求項６記載の薬剤拡散装置。
【請求項８】
薬剤保持部材は連結手段の周囲を覆うように配置されていることを特徴とする１乃至７のいずれか記載の薬剤拡散装置。
【請求項９】
薬剤保持部材は多重構造であることを特徴とする請求項１乃至８のいずれか記載の薬剤拡散装置。
【請求項１０】
薬剤保持部材が連結手段を兼ねることを特徴とする請求項１記載の薬剤拡散装置。
【請求項１１】
網状の保護部材が設けられ、前記保護部材は薬剤保持部材を覆うように配置されていることを特徴とする請求項１乃至１０のいずれか記載の薬剤拡散装置。
【請求項１２】
薬剤保持部材に保持される薬剤には、常温で揮発して防虫効果を発揮する成分が含まれていることを特徴とする請求項１乃至１１のいずれか記載の薬剤拡散装置。
【請求項１３】
本体部材を吊り下げる吊り下げ手段を有することを特徴とする請求項１乃至１２のいずれか記載の薬剤拡散装置。
【発明の詳細な説明】
【技術分野】
【０００１】
本発明は、薬剤拡散装置に関するものである。本発明の薬剤拡散装置は、防虫剤等を大気中に拡散させる用途に適するものである。
【背景技術】
【０００２】
薬剤の有効成分を加熱して蒸散させる虫除け器が知られている。当該虫除け器では、薬剤をヒータによって加熱し、薬剤を蒸散させて虫除けを行う。
しかしながらヒータを使用する虫除け器は、ヒータの電源となるコンセントが無い場所では使用できないという問題があり、また「電気代が嵩むのではないか」という不安や、切り忘れの不安を使用者に与える懸念がある。
一方、有効成分が常温で拡散する防虫剤もあり、かかる防虫剤を採用する場合には、ヒータ等の熱を発生させるための部材は必ずしも必須ではない。
また薬剤の拡散を円滑に行わしめることを目的として、薬剤を保持した網を用いて防虫を行う技術が開示されている（特許文献１及び特許文献２）。
【特許文献１】特開昭６０−１８０５３６号公報
【特許文献２】特開２００１−２００２３９号公報
【発明の開示】
【発明が解決しようとする課題】
【０００３】
特許文献に記載された従来技術では、風が網を通り抜けるので、薬剤の拡散が円滑である。
しかしながら、網は一般的に腰がなく定形性がないため、使用時には何らかの方法で姿勢を保持することが必要である。
【０００４】
また薬剤が含有された網はべたついて持ち運び難い場合があり、販売の際に店舗にそのまま並べるのも困難である。さらに薬剤拡散装置は、必要な時だけ薬剤が拡散されることが望ましい。すなわち薬剤拡散装置を使用しない時や、販売に際して薬剤拡散装置を店舗に展示する場合などに薬剤を拡散させないようにすることができれば、薬剤の無駄な消費を防ぐことができる。薬剤拡散装置が常温で揮発する成分を含有する薬剤を使用する場合には、特にこの様な構造であることが望ましい。
【０００５】
そこで本発明は、網を使用した薬剤散布装置を改良するものであり、使用時における網の姿勢保持が容易であり、且つ必要なときだけ薬剤を拡散させることができる薬剤拡散装置を提供することを課題とするものである。
【課題を解決するための手段】
【０００６】
そして、上記した目的を達成するための請求項１記載の発明は、外殻を構成する本体部材と、薬剤を保持可能な薬剤保持部材を有し、前記本体部材は互いに近接及び離反可能な二片の外殻片を有し、前記外殻片の少なくとも一片は内部に空間を有する立体形状であり、前記二片の外殻片を互いに連結する連結手段を備え、前記薬剤保持部材は網状であって互いに近接離反する前記二片の外殻片に取り付けられ、前記二片の外殻片を互いに近接させることによって本体部材の内部に略密閉空間が形成され、前記薬剤保持部材を前記略密閉空間内に収納可能であり、前記二片の外殻片を互いに離反させることによって前記略密閉空間は外部に開放状態となり、前記薬剤保持部材は広げられた状態で外気と接することを特徴とする薬剤拡散装置である。
なお「薬剤保持部材は網状であって互いに近接離反する前記外殻片に取り付けられ」とは、薬剤保持部材が直接的に外殻片に取り付けられている場合だけでなく、他の部材を介在して間接的に取り付けられている場合も含む。
【０００７】
本発明の薬剤拡散装置は、互いに近接離反する外殻片を有し、外殻片を互いに近接させることによって本体部材の内部に略密閉空間が形成される。そしてこの略密閉空間内に網状の薬剤保持部材が収納される。そのため本体部材が略密閉空間を構成している間は、薬剤保持部材は外気と触れず、薬剤の放散が抑制される。
一方、外殻片を互いに離反させると前記した略密閉空間は外部に開放状態となる。ここで本発明の薬剤拡散装置では、薬剤保持部材が移動する二片の外殻片に取り付けられているから、外殻片を互いに離反させると薬剤保持部材は広げられた状態となる。そのため薬剤保持部材と外気との接触機会が増加し、薬剤の拡散が促進される。さらに本発明の薬剤拡散装置は、薬剤保持部材が網状であるので、網の孔に空気が通って薬剤の拡散性に優れる。
【０００８】
また請求項２記載の発明は、連結手段は、二片の外殻片が互いに離反した状態を維持可能であることを特徴とする請求項１記載の薬剤拡散装置である。
【０００９】
本発明の薬剤拡散装置は、使用時における定型性が優れ、使い勝手がよい。
【００１０】
また請求項３記載の発明は、本体部材は、二片の外殻片が互いに離反した状態で自立可能であることを特徴とする請求項１又は２記載の薬剤拡散装置である。
【００１１】
本発明の薬剤拡散装置は、本体部材を自立させて使用することができ、使い勝手がよい。
【００１２】
請求項４記載の発明は、連結手段は所定の方向に伸縮可能であり、連結手段の伸縮方向両端部に外殻片が取り付けられていることを特徴とする請求項１乃至３のいずれか記載の薬剤拡散装置である。
【００１３】
請求項４記載の発明によれば、簡単な構造で空間の密閉状態と開放状態とを選択可能に作動させることができる。
【００１４】
また連結手段を伸縮させるための構造として、連結手段は複数の柱状部材からなり、隣接する柱状部材が入れ子状に収納されていて全長が伸縮自在であるものを用いることができる（請求項５）。
柱状部材は、３以上の個数であることが望ましい。
【００１５】
請求項６記載の発明は、連結手段はコイルばねであり、当該コイルばねは二片の外殻片を互いに近接させて本体部材の内部に略密閉空間を形成させた時には圧縮状態で縮み、前記二片の外殻片には係合部が設けられ、前記係合部を係合させることによって略密閉状態の維持が可能であることを特徴とする請求項４記載の薬剤拡散装置である。
【００１６】
請求項６記載の発明では、連結手段としてコイルばねを採用している。また本発明では、空間の密閉状態の維持が可能な係合部を有している。係合部による密閉状態の維持を解くとコイルばねが伸び、本体部材が開放状態となる。
【００１７】
請求項７記載の発明は、薬剤保持部材は連結手段たるコイルばねの内側に配置されていることを特徴とする請求項６記載の薬剤拡散装置である。
【００１８】
請求項７記載の発明によれば、薬剤保持部材は連結手段であるコイルばねの内側に配置されている。そのため、使用時に誤って薬剤保持部材に触れそうになっても、コイルばねによってこれを防ぐことができる。
【００１９】
薬剤保持部材は連結手段の周囲を覆うように配置してもよい（請求項８）。
【００２０】
また、薬剤保持部材は多重構造であってもよい（請求項９）。薬剤保持部材が多重構造である場合は、最も外側に位置する薬剤保持部材には薬剤を保持させないことが望ましい。
【００２１】
また薬剤保持部材が連結手段を兼ねてもよい（請求項１０）。
【００２２】
薬剤保持部材が連結手段を兼ねる構成を採用する場合は、薬剤拡散装置を吊り下げて使用する場合に推奨される。すなわち薬剤拡散装置を吊り下げて使用する場合は、下側の外殻片の重量によって連結手段が引かれる。薬剤保持部材が連結手段を兼ねる構成を採用すれば、下側の外殻片によって薬剤保持部材が引かれ、皺無くのびる。
【００２３】
また請求項１１記載の発明は、網状の保護部材が設けられ、前記保護部材は薬剤保持部材を覆うように配置されていることを特徴とする請求項１乃至１０のいずれか記載の薬剤拡散装置である。
【００２４】
請求項１１記載の発明によれば、網状の保護部材が薬剤保持部材の外側に設けられているので、使用時に誤って薬剤保持部材に触れそうになった場合にも、保護部材によってこれを防ぐことができる。
【００２５】
請求項１２記載の発明は、薬剤保持部材に保持される薬剤には、常温で揮発して防虫効果を発揮する成分が含まれていることを特徴とする請求項１乃至１１のいずれか記載の薬剤拡散装置である。
【００２６】
請求項１２記載の発明は、薬剤保持部材を防虫具として使用するものである。
【００２７】
また請求項１３記載の発明は、本体部材を吊り下げる吊り下げ手段を有することを特徴とする請求項１乃至１２のいずれか記載の薬剤拡散装置である。
【００２８】
本発明の薬剤拡散装置は、吊り下げ手段を有するので、薬剤拡散装置を柱や天井等から吊り下げて使用することができる。
【発明の効果】
【００２９】
本発明の薬剤拡散装置は、薬剤の拡散効率が優れるという効果と、必要なときだけ薬剤を拡散させることができる効果を兼ね備える。さらに本発明の薬剤拡散装置は、持ち運びが便利であるという効果もある。
【発明を実施するための最良の形態】
【００３０】
以下さらに本発明の具体的実施例について説明する。
図１は、本発明の第１の実施形態の薬剤拡散装置を密閉状態にした際の斜視図である。図２は、本発明の第１の実施形態の薬剤拡散装置の使用状態を示す斜視図である。図３は、図２の一部を破断した薬剤拡散装置１の斜視図である。
【００３１】
本発明の第１の実施形態の薬剤拡散装置１は、図１，２，３に示すように、本体部材２、網取付け部材３，３’、連結部材（連結手段）５、薬剤保持部材６及び保護部材７によって構成されている。また本体部材２には吊り下げ部材１０及びインジケータ１４が設けられている。
【００３２】
以下、各部材の構造について説明する。
本体部材２は、下部側の外殻片１１と上部側の外殻片１２を備える。上部側の外殻片１２と下部側の外殻片１１は同一形状であり、開口１３，１３’が設けられた空間１５を有する容器状である。下部側の外殻片１１と上部側の外殻片１２は一対の部材であり、図１、図８に示すように、それぞれの開口１３，１３’同士を合わせると、本体部材２内に密閉された空間１９を形成することができる。なおこの開口１３，１３’同士が合致する部位の近傍には、図示しない係合部が設けられ、この係合部によって開口１３，１３’同士を合わせた状態の姿勢を維持させることができる。
前記した様に上部側の外殻片１２と下部側の外殻片１１は同一形状であるから、下部側の外殻片の構造を中心に説明する。
【００３３】
図４は、図１の薬剤拡散装置１の下部構造の分解斜視図である。図５は、図１の実施形態で採用する網取付けリング３５の分解斜視図である。図６は、図１の薬剤拡散装置１の下部構造の断面図である。図７は、図１に示す薬剤拡散装置１の断面図である。図８は、図１に示す薬剤拡散装置１の密閉状態を示す断面図である。
【００３４】
下部側の外殻片１１は、図４に示す様に容器部材１６と底板部材１７が一体化されたものである。すなわち容器部材１６は、大径円筒部２０と小径円筒部２１を有し、両者の間がテーパー状の底部２２によって結合されたものである。小径円筒部２１は、大径円筒部２０よりも小径であり、大径円筒部２０に対して同心状に設けられている。大径円筒部２０と小径円筒部２１の間は連通しており、容器部材１６は、図６に示すように全体的に上下に貫通している。小径円筒部２１の外周壁には３個の貫通孔２４が設けられている。小径円筒部２１の開口端にはフランジ部２９が設けられている。
【００３５】
底板部材１７は円板部２５を有し、その一方の面の中心に連結部材接続用円筒部２６が設けられ、他方の面の中心に容器部材接続用円筒部２７が設けられたものである。
円板部２５の外径は、前記した容器部材１６の大径円筒部２０の内径にほぼ等しい。底板部材１７の円板部２５にはねじ孔１８が設けられている。
連結部材接続用円筒部２６には、３個のねじ孔２８が設けられている。当該ねじ孔２８は、連結部材５を取り付けるのに使用される。
容器部材接続用円筒部２７の外径は、容器部材１６の小径円筒部２１の内径に等しい。容器部材接続用円筒部２７の外周にも３個のねじ孔３０が設けられている。
連結部材接続用円筒部２６の外径は、後記する連結部材５の下端部の外径と略等しい。連結部材接続用円筒部２６と容器部材接続用円筒部２７の間は連通しない。
【００３６】
下部側の外殻片１１は、図６に示すように容器部材１６の内面に底板部材１７が挿入されたものであり、底板部材１７の円板部２５の外周が容器部材１６の大径円筒部２０の内周面と接している。ここで底板部材１７の円板部２５はねじ孔１８を除いて開口が無い。そのため容器部材１６は、小径円筒部２１側に貫通しているが、小径円筒部２１側の開口は、底板部材１７によって封鎖されている。
そのため下部側の外殻片１１は、大径円筒部２０側の開口のみが外部に繋がり、他の部分が閉鎖され碗状であり、内部に空間１５を有する立体形状である。
【００３７】
なお本実施形態では、容器部材１６と底板部材１７との接続は、図６に示すようにネジ３１によって行われている。すなわち底板部材１７の容器部材接続用円筒部２７が容器部材１６の小径円筒部２１内に挿入され、容器部材１６の貫通孔２４と底板部材１７のねじ孔３０を合致させてネジ３１が挿通され、容器部材１６と底板部材１７が一体的に結合されている。容器部材１６と底板部材１７の取付け手段は任意であり、接着剤を使用して結合してもよい。さらに容器部材１６と底板部材１７を一体的に成形してもよい。
【００３８】
網取付け部材３，３’は、基礎部材３３と、網取付けリング３５及び保護部材取付けリング３６によって構成されている。
基礎部材３３の円板部３８の一面に３重の円環壁４０，４１，４２が立設されたものである。基礎部材３３は、円板部３８は、前記した容器部材１６の底板部材１７と略同一の大きさであり、ねじ挿通用の切り欠き４４が３か所に設けられている。
【００３９】
円環壁４０，４１，４２の中心は、いずれも円板部３８の中心と一致し、三重の円環壁４０，４１，４２は互いに同心状に配置されている。円環壁４０，４１，４２同士の間には隙間があり、当該隙間によって二重の環状溝が形成されている。この中で、内側の環状溝は網取付け溝４５として機能し、外側の環状溝は保護部材取付け溝４６として機能する。
【００４０】
前記した三重の円環壁４０，４１，４２の内、内側の円環壁４０と外側の円環壁４２には、ねじ孔５８，５９が設けられている。
網取付けリング３５は、刺しゅう枠の様な形状をしており、図５に示すように内リング５１と外リング５２によって構成されている。本実施形態で採用する網取付けリング３５では、内リング５１の外周にピン５３が設けられており、外リング５２にはピン５３が係合する溝５５が設けられている。
網取付けリング３５は、外リング５２の開口円内に内リング５１が嵌合したものである。網取付けリング３５の外径及び内径は、基礎部材３３の網取付け溝４５と嵌合しうるものであり、網取付けリング３５は、基礎部材３３の網取付け溝４５に挿入されている。そして基礎部材３３の内側の円環壁４０に設けられたねじ孔５８に図示しないネジが挿通され、当該ネジで網取付けリング３５が押さえられている。
【００４１】
保護部材取付けリング３６の構造は、前記した網取付けリング３５と同一であり、大きさだけが異なる。すなわち保護部材取付けリング３６は内リング５６と外リング５４を持ち、内外径とも網取付けリング３５よりも大きい。保護部材取付けリング３６の外径及び内径は、基礎部材３３の保護部材取付け溝４６と嵌合しうるものであり、保護部材取付けリング３６は、基礎部材３３の保護部材取付け溝４６に挿入されている。そして基礎部材３３の外側の円環壁４２に設けられたねじ孔５９に図示しないネジが挿通され、当該ネジで保護部材取付けリング３６が押さえられている。
【００４２】
次に連結部材５の構造について説明する。
図９は、図１の実施形態で採用する連結部材５の一部を拡大した断面斜視図である。図１０は、連結部材５の変形例を示す連結部材５の一部を拡大した断面斜視図である。
連結部材５は、複数の柱状部材６０が隣接する柱状部材６０に挿入・退出可能な構造となっている。すなわち各柱状部材６０はいずれも円柱形であるが、その大きさは大径のものから小径のものまでわずかづつ径の違うものが揃っている。
そして各柱状部材６０は、大径のものから小径のものまでわずかづつ径の違うものが順次入れ子状に配列されている。すなわち連結部材５は、アンテナロッドや釣り竿の如く各柱状部材６０が入れ子構造となっており、全長が伸び縮み可能である。
【００４３】
また各柱状部材６０の一端側にはそれぞれ内側に突出する内側フランジ６２が設けられ、他端側には外側に突出する外側フランジ６３が設けられている。そのため連結部材５を最大限に引き延ばした時に隣接する柱状部材６０の内側フランジ６２と外側フランジ６３が当接し、柱状部材６０同士の離脱が防止される。
【００４４】
また外側フランジ６３には外周を一周するように凹溝６５が設けられ、凹溝６５にはＯリングなどの摩擦部材６６が配置されている。そして摩擦部材６６は隣接する柱状部材６０の内側に接触している。
そのため本実施形態で採用する連結部材５は、摩擦部材６６によって適度の摩擦力が生じ、当該摩擦力により連結部材５の全長を任意の長さに保つことができる。
【００４５】
薬剤保持部材６は、可撓性を有する網状の部材である。具体的には、合成樹脂繊維や天然繊維などを糸状にし、これを用いて編んだものや、合成樹脂を網状となるように成形したものが用いられている。本実施形態では、平面状の網が使用されているが、予め筒状に成形したものを薬剤保持部材６として使用してもよい。
【００４６】
薬剤保持部材６に用いられる繊維の種類としては、ポリエステル、ポリアミドなどの合成繊維、アセテートなどの半合成繊維、レーヨン、キュプラなどの再生繊維などを用いることができる。また、これらの繊維を用いて網状とするときの目付量は平方メートル当たり１〜１００００ｇが望ましい。
【００４７】
薬剤保持部材６には薬剤が保持されている。この薬剤は、常温で揮発性を有するものである。また、この薬剤は、有効成分として例えば防虫効果を有するものが含まれている。なお、「防虫効果」とは「殺虫効果」と「害虫の忌避効果」の両方を包含する概念である。
本実施形態で採用する薬剤は、常温揮散性があり、具体的には、２５℃での蒸気圧が１．３３×１０-4Ｐａ（１×１０-6ｍｍＨｇ）以上である。
【００４８】
防虫効果を有して常温で揮発する有効成分の具体例としては以下のものがある。
１−エチニル−２−メチル−２−ペンテニル  ３−（２−クロロ−２−フルオロビニル）−２，２−ジメチルシクロプロパン−１−カルボキシラート、２，３，５，６−テトラフルオロ−４−メチルベンジル  ３−（２−メチル−１−プロペニル）−２，２−ジメチルシクロプロパンカルボキシラート、２，３，５，６−テトラフルオロ−４−メチルベンジル  ３−（２−クロロ−２−フルオロビニル）−２，２−ジメチルシクロプロパンカルボキシラート、２，３，５，６−テトラフルオロ−４−メチルベンジル  ３−（１−プロペニル）−２，２−ジメチルシクロプロパンカルボキシラート、１−エチニル−２−メチル−２−ペンテニル  （１Ｒ）−３−（２−メチル−１−プロペニル）−２，２−ジメチルシクロプロパンカルボキシラート（一般名：エンペントリン）、２，３，５，６−テトラフルオロベンジル  （１Ｒ）−トランス−３−（２，２−ジクロロビニル）−２，２−ジメチルシクロプロパンカルボキシラート（一般名：トランスフルスリン）、２，３，５，６−テトラフルオロ−４−メトキシメチルベンジル  （１Ｒ）−トランス−３−（１−プロペニル（Ｅ／Ｚ＝約８／１））−２，２−ジメチルシクロプロパンカルボキシラート、２，３，５，６−テトラフルオロ−４−メトキシメチルベンジル  （１Ｒ）−トランス−３−（２−メチル−１−プロペニル）−２，２−ジメチルシクロプロパンカルボキシラート、２，３，５，６−テトラフルオロ−４−メチルベンジル  （１Ｒ）−トランス−３−（１−プロペニル（Ｅ／Ｚ＝約８／１））−２，２−ジメチルシクロプロパンカルボキシラート等のピレスロイド化合物、２，２−ジクロロビニル  ジメチル  ホスフェート、Ｎ，Ｎ−ジエチル−ｍ−トルアミド、カラン−３，４−ジオール。
【００４９】
上記した様に常温で液体の薬剤をそのまま薬剤保持部材６に保持させてもよいが、当該有効成分をエタノール、イソプロピルアルコールなどのアルコール類、ポリエチレングリコール、１，３−ブチレングリコール、エチレングリコールモノブチルエーテル、プロピレングリコールモノメチルエーテル、ジプロピレングリコールモノメチルエーテルなどの多価アルコール類、イソペンタン、軽質イソパラフィンや軽質流動イソパラフィン（出光石油化学：ＩＰソルベント１６２０、２０２８、２８３５  エクソンモービル：アイソパーＥ、Ｇ、Ｈ、Ｌ、Ｍ）、ＪＩＳ１号灯油や２号灯油、アルキルベンゼンなどの炭化水素系溶剤、酢酸エチル、ミリスチン酸イソプロピル、アジピン酸ジイソプロピル、クエン酸トリブチルアセテートなどのエステル類、のうちから選択したいずれか、又は、それらの混合物で適宜希釈して得られる薬液を用いることもできる。
【００５０】
薬剤保持部材６に薬剤を保持させる方法は、薬剤を保持した状態の糸などを用いて網状としてもよく、また、網状としたものに薬剤を浸すなどして薬剤をしみこませてもよい。また、このときの保持される薬剤の量を平方メートル当たり２０ｍｇ〜５００ｇとすることが望ましい。すなわち薬剤の量が過度に多いと薬剤が垂れるといった不具合があり、薬剤の量が少ないと有効期間が短くなってしまうので、薬剤保持部材６に保持させる薬剤量は、平方メートル当たり２０ｍｇ〜５００ｇが適当である。
【００５１】
保護部材７は薬剤保持部材６と同様に網状であり、薬剤保持部材６の外側に配置されて薬剤保持部材６を覆うものである。
保護部材７には薬剤が付着していない。したがって手指や物が触れても薬剤が付かない。本実施形態では、保護部材６の素材は、薬剤がしみ込み難いものが選定されている。
また、保護部材７の方が薬剤保持部材６よりも剛性を高いものを選定することが推奨される。
【００５２】
図１１は、図１の実施形態で採用するインジケータ１４の断面斜視図である。図１２は、図１の実施形態で採用するインジケータ１４の動作を示す斜視図である。
インジケータ１４は、図１１に示すようにケース部材７０とインジケータ本体７１によって構成されている。ケース部材７０は、正面視が略正方形であり、厚さが薄い箱体であり、下面だけが開口している。インジケータ１４は、本体部材２を閉じた状態にするとインジケータ本体７１の先端が他の部材と当接して図１２（ａ）の様にケース部材７０内に押し込まれる。一方、本体部材２を開いた状態にすると図１２（ｂ）の様にケース部材７０から突出する。
インジケータ本体７１は、板状であり、その表面に昇華性のインキが塗布されている。そのためインジケータ本体７１を一定時間露出すると表面の色が変化する。
【００５３】
次に各部材同士の組み立て構造について説明する。
本実施形態の薬剤拡散装置１は、本体部材２の内部に網取付け部材３，３’その他の部材が収納されている。
具体的には、図７の様に本体部材２の下部側の外殻片１１と上部側の外殻片１２によって囲まれる空間１９内に、網取付け部材３，３’、連結部材５、薬剤保持部材６及び保護部材７が内蔵されている。
すなわち網取付け部材３は、図６の様に下部側の外殻片１１の内部にあり、容器部材１６と底板部材１７に取り付けられている。より具体的には、網取付け部材３の基礎部材３３が、外殻片１１の底板部材１７に載置され、両者がネジ５７によって締結されている。容器部材１６の上部側についても同様であり、上部側の外殻片１２の内部に、網取付け部材３’が取り付けられている。
【００５４】
また下部側の外殻片１１と上部側の外殻片１２の間に連結部材５が接続されている。逆に言えば、連結部材５の両端で、下部側の外殻片１１と上部側の外殻片１２が連結されており、下部側の外殻片１１と上部側の外殻片１２とは連結部材５を介して接続されている。
下部側の外殻片１１と連結部材５の取付けは、図６に示す様に連結部材接続用円筒部２６の内側に、最も下部の柱状部材６０を挿入し、ネジ又はピンによって両者を接合することによる。下部側の外殻片１１と連結部材５の取付けについても同様である。連結部材５の取付け方法は任意であり、接着剤を使用してもよい。
【００５５】
薬剤保持部材６は、下端側が網取付け部材３の網取付けリング３５の内リング５１と外リング５２の間に挟み込まれている。
薬剤保持部材６の上端側についても同様であり、網取付け部材３’の網取付けリング３５の内リング５１と外リング５２の間に挟み込まれている。
すなわち薬剤保持部材６の上下の端部は、網取付け部材３，３’を介して下部側の外殻片１１と上部側の外殻片１２に固定されている。
薬剤保持部材６は本来平面状であるが、網取付けリング３５が円形であり、薬剤保持部材６の両端が網取付けリング３５に挟まれるため、装着状態においては薬剤保持部材６は筒状となっている。そして薬剤保持部材６は連結部材５の周囲を取り巻く様に装着されている。
【００５６】
保護部材７についても同様であり、下端側が網取付け部材３の保護部材取付けリング３６の内リング５６と外リング５４の間に挟み込まれ、保護部材７の上下の端部は、網取付け部材３，３’を介して下部側の外殻片１１と上部側の外殻片１２に固定されている。
保護部材７についても本来平面状であるが、保護部材取付けリング３６が円形であるから装着状態においては筒状となり、薬剤保持部材６の周囲を取り巻く。
【００５７】
インジケータ１４は、図２に示すように上部側の外殻片１２に取り付けられている。
吊り下げ部材１０は、紐又は針金であり、容器部材１６は、フランジ部２９に取り付けられている。
【００５８】
次に、薬剤拡散装置の使用方法について説明する。
薬剤拡散装置１を製造した後、使用するまでの間は、図１に示すように本体部材２の上部側の下部側の外殻片１１と外殻片１２の開口１３，１３’同士が合わせられており、本体部材２の内部の空間１９は図８の様に略密閉状態となっている。
薬剤拡散装置１の内部の様子は図８の通りであり、連結部材５の各柱状部材６０は、全て最も大きな径の柱状部材６０の内部に収納され、連結部材５の全長が最小となっている。また薬剤保持部材６や保護部材７は網であって可撓性を有するので、下部側の外殻片１１と上部側の外殻片１２とが接近して本体部材２内の空間１９が密閉状態となっていても、適当な形に変形して収納される。
インジケータ１４は、ケース部材７０内にインジケータ本体７１が収納された状態である。
【００５９】
図１，８に示す様な、本体部材２の外殻片１１，１２が合致した状態においては、本体部材２の内部の空間１９は略密閉状態となっているので、薬剤保持部材６の薬剤が外部に拡散することはない。またインジケータ本体７１についても露出しないので、インジケータ１４のインキも変色しない。
【００６０】
そして薬剤拡散装置１を防虫を行う場所に移動させ、外殻片１１，１２を引っ張る。なおこの時、外殻片１１，１２の間に設けられた図示しない係合部材は外しておく。
本実施形態においては、外殻片１１，１２を引っ張ると、連結部材５が伸び、外殻片１１，１２の間に隙間ができる。すなわち外殻片１１，１２は連結部材５を介して結合されており、さらに連結部材５の各柱状部材６０は、大径のものから小径のものまでわずかづつ径の違うものが順次入れ子状に配列されているので、外殻片１１，１２を引っ張ると、大径側の柱状部材６０に内装されていた小径側の柱状部材６０が引き出され、連結部材５の全長が伸びる。
【００６１】
そして連結部材５の全長が最大長となったところで各柱状部材６０の内側フランジ６２と外側フランジ６３が当接し、連結部材５の伸長が停止する。
この時の様子は図２，３，７の様であり、下部側の外殻片１１と上部側の外殻片１２の間には大きな隙間ができ、前記した略密閉空間１９は外部に開放状態となる。
また連結部材５は、摩擦部材６６によって適度の摩擦力が生じ、当該摩擦力により連結部材５の全長を任意の長さに保つことができるので、本体部材２を自立させることができる。
薬剤拡散装置１の設置は、本体部材２を自立機能を利用して床面に直置きしてもよく、吊り下げ部材１０を利用して壁等に吊り下げてもよい。
【００６２】
さらに前記した薬剤保持部材６と保護部材７のそれぞれの両端は、網取付けリング３５及び保護部材取付けリング３６を介して下部側の外殻片１１と上部側の外殻片１２に取り付けられているから、下部側の外殻片１１と上部側の外殻片１２が離間すると、薬剤保持部材６と保護部材７は伸び広げられる。
インジケータ１４は、インジケータ本体７１がケース部材７０から突出する。
この時の様子は図２，３の通りであり、伸長した連結部材５を取り囲んで円筒状に広げられた状態の薬剤保持部材６があり、さらに薬剤保持部材６を取り囲んで円筒状に広げられた状態の保護部材７がある。
【００６３】
薬剤拡散装置１は多くの場合、室内に設置されることとなるが、薬剤保持部材６は直接外気と接し、さらに薬剤保持部材６は網状であるから外気と薬剤との接触機会も多い。そのため薬剤保持部材６に保持された薬剤は気化又は昇華し、大気中に放散される。
また本実施形態では、薬剤保持部材６及び保護部材７に網状の部材が用いられているので、扇風機やクーラ等の送風、あるいは自然の風が薬剤拡散装置１にあたると、当該風は網の孔を通過する。すなわち薬剤保持部材６や保護部材７は網状であるため、風が当たるとほとんど抵抗を受けずに通過して、効率よく薬剤の拡散を行うことができる。したがって、薬剤保持部材６の薬剤を拡散させやすい。
【００６４】
特に本実施形態では薬剤保持部材６は筒状となり、柱状の連結部材５の周囲を取り巻く様に装着されているので、いずれの方向からの通風も通過する。すなわち本実施形態の
薬剤保持部材６は風向きに対する指向性が無い。
また、誤って薬剤拡散装置１に触れた場合でも、薬剤保持部材６が保護部材７によって覆われているので、肌が直接薬剤に触れることはない。すなわち保護部材７は薬剤がしみ込まない素材で作られているので、保護部材７に触れても薬剤は付かない。
この様に本実施形態では、保護部材７によって薬剤保持部材６に触れにくくする工夫がなされているが、保護部材７が薬剤の拡散の邪魔になることはない。
【００６５】
薬剤保持部材６の薬剤が完全に揮発する前に、一旦、防虫をやめる場合には、本体部材２を密閉状態とし、再び使用するまでの間の薬剤の拡散を防止することができる。この様に本実施形態の薬剤拡散装置１では、薬剤の拡散を必要なときにのみ行えるので、薬剤の無駄がない。
【００６６】
なお本体部材２を縮める際には、上部側の外殻片１２と下部側の外殻片１１とを相対回転させながら外殻片１２，１１を近接させることが望ましい。すなわち上部側の外殻片１２と下部側の外殻片１１とを真っ直ぐに移動させると、中間にある薬剤保持部材６と保護部材７が横に広がり、外殻片１１，１２で囲まれるエリアからはみ出す。そのため上部側の外殻片１２と下部側の外殻片１１の間に薬剤保持部材６等が挟まり、薬剤保持部材６等の収まりが悪い。
これに対して上部側の外殻片１２と下部側の外殻片１１とを相対回転させながら両者の距離を縮めると、薬剤保持部材６等が中心の連結部材５に巻きつき、外への広がりが防止される。そのため薬剤保持部材６等の収まりがよいものとなる。
【００６７】
本実施形態においては、外殻片１１，１２を相対回転させながら両者の距離を縮めるには、二つの外殻片１１，１２を捩じりながら互いに圧縮する必要があるが、外殻片１１，１２を近接させることによって強制的に外殻片１１，１２が回転する様なガイドを設けてもよい。たとえば図１０に示すように柱状部材６０の内面に螺旋状のガイド溝６４を設け、柱状部材６０の外周に設けた突起６９をガイド溝６４と嵌合させる構成が考えられる。
【００６８】
上記した実施形態の薬剤拡散装置１では、入れ子構造を利用した連結部材５を例示したが、連結部材５の構造は、先の実施形態に限定されるものではなく、下部側の外殻片１１及び上部側の外殻片１２と固定されており、伸縮などによって本体部材２の開放状態と密閉状態とを選択することができれば、どの様な構造であってもよい。
次に、本発明の他の実施形態として、バネを利用した連結部材を採用する構造を説明する。なお以下の実施形態において、先の実施形態と同一の部品は、先の実施形態と同一の番号を付すことによって重複した説明を省略する。
【００６９】
図１３は、本発明の第２実施形態の薬剤拡散装置８０の使用状態を示す斜視図である。図１４は、本発明の第２実施形態の薬剤拡散装置の変形例を示す斜視図である。
図１３に示される薬剤拡散装置８０では、連結部材としてコイルばね８１が設けられている。コイルばね（連結部材）８１の両端は、下部側の外殻片１１及び上部側の外殻片１２と接続されている。
本実施形態では、本体部材２が密閉状態の場合にはコイルばね（連結部材）８１は圧縮されており、開放状態となると上部側の外殻片１２と下部側の外殻片１１とを離すように作用して開放状態を維持することができる。なお、本体部材２が密閉状態の場合には、図示しない係合部により密閉状態を維持することができる。
なお本実施形態の薬剤拡散装置８０では、薬剤保持部材６の外周に保護部材７を設けることが望ましい。
【００７０】
また、上記した実施形態の薬剤拡散装置１，８０では、連結部材５，８１は薬剤保持部材６の内側に設けられているものであったが、図１４に示される薬剤拡散装置８３の様に薬剤保持部材６の外側に連結部材８２を設けてもよい。かかる場合には、連結部材８２が保護部材として機能し、使用時に、薬剤保持部材６の薬剤に触れにくくなる。
【００７１】
また上記した実施形態では、いずれも断面形状が円形の連結部材５，８１，８２を開示したが、連結部材の断面形状は円形にこだわらない。たとえば図１５に示す様なパンタグラフ機構を活用した連結部材８５を利用することもできる。なお図１５は、本発明の第３実施形態の薬剤拡散装置の使用状態を示す斜視図である。
【００７２】
さらに薬剤拡散装置を吊り下げ専用として利用するならば、紐やワイヤー等の線材を連結部材として活用したり、薬剤保持部材６や保護部材７を連結部材として活用する構成も可能である。
【００７３】
図１６は、本発明の第４実施形態の薬剤拡散装置８６の使用状態を示す斜視図である。図１７は、図１６の一部を破断した薬剤拡散装置８６の斜視図である。
図１６，図１７に示す薬剤拡散装置８６は、先の実施形態に示した様な連結部材５，８１は無く、上部側の外殻片１２と下部側の外殻片１１は、薬剤保持部材６及び保護部材７によってのみ接続されている。
薬剤拡散装置８６は、上部側の外殻片１２と下部側の外殻片１１を引き離して空間を開放状態とし、吊り下げ部材１０を用いて他の部材８８に吊り下げる。そうすると、下部側の外殻片１１の重量によって薬剤保持部材６及び保護部材７が引っ張られ、薬剤保持部材６や保護部材７が伸びた状態となり、薬剤拡散装置８６は開放状態で維持される。そして開放状態の間、有効成分が揮発して拡散し、防虫効果を発揮する。
本実施形態では、薬剤保持部材６が伸びた状態となるので、横からの風が通りやすくなり薬剤の拡散が円滑である。
【００７４】
上記した実施形態の薬剤保持部材６は、一枚の網を用いたものであったが、薬剤の保有量を増加させるために網を多重に巻いて多重構造とすることもできる。この場合、最も外側の網には薬剤を保持させず、保護部材として機能させることが望ましい。
【００７５】
薬剤保持部材６の色は特に限定はないが、虫を引きつける様な色、例えば黄色が望ましい。かかる構成とすることにより、有効成分の濃度が高い領域に虫が近寄って防虫を効率的に行うことができる。さらに、電灯などの光を発する発光部材を設けて、虫を引きつけてもよい。例えば薬剤拡散装置の中央部に光源を配置すれば、装置全体が行灯の様な雰囲気となり、インテリアとして好適である。
【００７６】
また上記した実施形態は、いずれも縦置き状に設置したが、図１８に示す薬剤拡散装置９０の様に横置きにしてもよい。薬剤拡散装置を横置きする場合は、全体が転がらない様にする工夫が必要である。図１８に示す薬剤拡散装置９０では、本体部材９２を角形として転がりを防いだ。なお図１８は、本発明の第５実施形態の薬剤拡散装置９０の使用状態を示す斜視図である。
【００７７】
また、薬剤に、酸化防止剤、光安定剤等を添加したものを用いても良い。さらに薬剤貯留部を設け、薬剤貯留部から薬剤保持部に薬剤を供給する構成も可能である。
たとえば下側の外殻片内に皿状の薬剤貯留部を設け、薬剤保持部の下端部を薬剤貯留部に浸し、毛細管現象によって薬剤を吸い上げる。
あるいは下側の外殻片内に皿状の薬剤貯留部を設け、図１の様に上側の外殻片と下側の外殻片を閉じた時に薬剤保持部が薬剤貯留部に漬かる構造とする。
さらに上部側の外殻片に薬剤貯留部を設け、薬剤貯留部から薬剤保持部に対して薬剤を滴下する構成も考えられる。
【００７８】
上記した実施形態では、薬剤拡散装置を虫除け器として使用する例を説明したが、香料を拡散させる用途に本発明を使用することもできる。
【図面の簡単な説明】
【００７９】
【図１】本発明の第１の実施形態の薬剤拡散装置を密閉状態にした際の斜視図である。
【図２】本発明の第１の実施形態の薬剤拡散装置の使用状態を示す斜視図である。
【図３】図２の一部を破断した薬剤拡散装置の斜視図である。
【図４】図１の薬剤拡散装置の下部構造の分解斜視図である。
【図５】図１の実施形態で採用する網取付けリングの分解斜視図である。
【図６】図１の薬剤拡散装置の下部構造の断面図である。
【図７】図１に示す薬剤拡散装置の断面図である。
【図８】図１に示す薬剤拡散装置の密閉状態を示す断面図である。
【図９】図１の実施形態で採用する連結部材の一部を拡大した断面斜視図である。
【図１０】連結部材の変形例を示す連結部材の一部を拡大した断面斜視図である。
【図１１】図１の実施形態で採用するインジケータの断面斜視図である。
【図１２】図１の実施形態で採用するインジケータの動作を示す斜視図である。
【図１３】本発明の第２実施形態の薬剤拡散装置の使用状態を示す斜視図である。
【図１４】本発明の第２実施形態の薬剤拡散装置の変形例を示す斜視図である。
【図１５】本発明の第３実施形態の薬剤拡散装置の使用状態を示す斜視図である。
【図１６】本発明の第４実施形態の薬剤拡散装置の使用状態を示す斜視図である。
【図１７】図１６の一部を破断した薬剤拡散装置の斜視図である。
【図１８】本発明の第５実施形態の薬剤拡散装置の使用状態を示す斜視図である。
【符号の説明】
【００８０】
１，８０，８２，８３，８６，９０  薬剤拡散装置
２  本体部材
３  網取付け部材
５，８５  連結部材（連結手段）
６  薬剤保持部材
７  保護部材
１０  吊り下げ部材
１１  上部側の外殻片
１２  下部側の外殻片
１３  １３’開口
１４  インジケータ
１５  空間
１６  容器部材
１９  空間
３５  網取付けリング
３６  保護部材取付けリング
６０  柱状部材
８１  コイルばね（連結手段）
【図１】
2005253431.tif 000003
【図２】
2005253431.tif 000004
【図３】
2005253431.tif 000005
【図４】
2005253431.tif 000006
【図５】
2005253431.tif 000007
【図６】
2005253431.tif 000008
【図７】
2005253431.tif 000009
【図８】
2005253431.tif 000010
【図９】
2005253431.tif 000011
【図１０】
2005253431.tif 000012
【図１１】
2005253431.tif 000013
【図１２】
2005253431.tif 000014
【図１３】
2005253431.tif 000015
【図１４】
2005253431.tif 000016
【図１５】
2005253431.tif 000017
【図１６】
2005253431.tif 000018
【図１７】
2005253431.tif 000019
【図１８】
2005253431.tif 000020